(57)【要約】【課題】コネクターが取り付け孔から落下するのを、コネクターや取り付け孔を変更せずに防止する。そして、その際、ガタなどを生じないようにする。【解決手段】コネクター１０のハウジング１１に間隔を置いて並列に設けた一対の突部１２間に挿入され、突部１２の間隔を保つスペーサー部２１と、前記スペーサー部２１をハウジング１１に装着する係止部２２とからなる固定具２０を使用する。この固定具２０は、スペーサー部２１がハウジング１１の突部１２間に挿入され、突部１２の間隔を保って撓みを防止し、取り付け孔１３と係合する突部１２の撓みによる係合量の低下でコネクター１０が落下するのを防止する。このように、突部１２の間隔を保持して抜け落ちを防止するため、コネクター１０や取り付け孔１３の変更は必要なく、取り付け孔１３とハウジング１１間に隙間を形成する必要もないためガタを生じることはない。【選択図】図２
2010153308.tif 000002
【特許請求の範囲】
【請求項１】
ハウジングに間隔を置いて並列に設けた一対の突部を、前記ハウジングを嵌入する取り付け孔の対向するエッジに係合させて取り付ける抜け止用のコネクターの固定具であって、
前記並列に設けた一対の突部間に挿入されて、突部間の間隔を保つスペーサー部を有するコネクター固定具。
【請求項２】
上記一対の突部がハウジングの両側に設けられたものとして、両側の突部に挿入されるスペーサー部をハウジングを跨いで接続し、ハウジングに装着するようにした請求項１に記載のコネクター固定具。
【請求項３】
上記一対の突部がハウジングの取り付け孔への嵌入端から他方の端部に向けて形成され、形成された突部の間を溝状とし、その溝に係合する突起を形成した係止部を設けて、外れ止めとした請求項１または２に記載のコネクター固定具。
【請求項４】
上記スペーサー部が、断面をコの字形とし、前記コの字の開口側をハウジング側にして、上記突部間あるいは突部の間に形成された溝に挿入し、前記突部または溝をコの字の対向する面で支持して押し広げるようにした請求項１乃至３のいずれかに記載のコネクター固定具。
【請求項５】
上記ハウジングに設けられた突起に係合するストッパー部を形成した請求項１乃至４のいずれかに記載のコネクター固定具。
【発明の詳細な説明】
【技術分野】
【０００１】
この発明は、取り付け孔からの抜け落ちを防止するコネクター固定具に関するものである。
【背景技術】
【０００２】
パネルに直接取り付けられるコネクターとして、例えば、図２の本実施形態で述べるパネルマウント用のコネクター１０がある。このコネクター１０は、図２に示すように、ハウジング１１に間隔を置いて並列に設けた一対の突部１２を、前記ハウジング１１を嵌入する取り付け孔１３の対向するエッジ１４に係合させて取り付ける。すると、押されたコネクター１０の突部はエッジ１４に圧迫されて図３の矢印のように撓むことになる。
【０００３】
ところが、このように取り付けられたコネクター１０では、コネクター１０にプラグ１５を差し込むと、突部１２の撓む量に対して、例えば、取り付け孔１３が大きめであったり、取り付けが不十分で撓み量に対する余裕度が十分でなかったり、突部１２の弾性が劣化したりして、突部１２とエッジ１４との係合が少なくなっていると、コネクター１０が外れてパネルＰの内側Ｂに落ち込むことになる。
【０００４】
このような問題を解決する一つの方法として、例えば、図７の特許文献１のように、パネルＰに固定具１で止める方法が考えられる。この方法は、プラグ１５を固定する点で本願と違っているが、固定方法としての考え方は同じである。
【０００５】
すなわち、この方法では、図７に示すように、固定具１は、引っ掛け部２と係止部（文献では湾曲部）３とからなっている。前記引っ掛け部２は、フック状をしており、フックは外向きに折曲してある。また、係止部３は、プラグ１５の両側面を弾性でもって把持するように折り曲げてある。
【０００６】
そのため、この固定具１では、まず、引っ掛け部２を図７の破線のように、隙間４から挿入したのち、プラグ１５をコネクター１０に差し込みながら、係止部３を矢印のように下方に回して取り付けると、プラグ１５をパネルＰに固定できる。
【０００７】
したがって、このような考え方をコネクター１０に置き換えて適用すれば、パネルＰからの抜け落ちを防止できる。
【特許文献１】特開２００４−３５６０７９号公報
【発明の開示】
【発明が解決しようとする課題】
【０００８】
しかしながら、上記のように、パネルに固定具で止める方法では、図２のように、ハウジング１１の上部にロック用（プラグ）の係合部１６があると、前記係合部１６が邪魔をして固定具１を取り付けられない問題がある。そのため、このような固定具１を使用するためには、コネクター１０の形状を変更する必要がある。
【０００９】
また、上記のように、固定具１で止める方法では、パネルＰとコネクター１０の間に引っ掛け部２を挿通するための隙間４を形成する必要がある。そのため、図２のものでは、取り付け孔１３の形状を変更しなければならず、しかも、図３のように、ハウジング１１を嵌入して取り付け孔１３に支持させているので、前記のように隙間４があるとガタを生じる問題もある。
【００１０】
そこで、この発明の課題は、コネクターや取り付け孔を変更せず、かつ、ガタを生じることなく、取り付け孔からの抜け落ちを防止できるようにすることである。
【課題を解決するための手段】
【００１１】
上記の課題を解決するため、この発明では、ハウジングに間隔を置いて並列に設けた一対の突部間に挿入されて、突部間の間隔を保つスペーサー部を有する構成のコネクター固定具を採用したのである。
【００１２】
このような構成を採用することにより、固定具のスペーサー部が、ハウジングの突部間に挿入されると、挿入されたスペーサー部は、突部間の間隔を保って撓みを防止する。そのため、コネクターの突部はエッジに圧迫されても撓むことはなく、例えば、コネクターにプラグを差し込んだ際に、取り付け孔が大きめで係合が少なかったり、取り付けが不十分で撓み量に対する余裕度が十分でなかったり、突部の弾性が劣化して突部とエッジとの係合が少なくなっていても、簡単にコネクターが外れてパネルの内側に落ち込むことはない。このように、ハウジングの突部の間隔を保持することで、抜け落ちを防止するため、コネクターや取り付け孔の変更は必要なく、しかも、取り付け孔とハウジングの間に隙間を形成する必要もないためガタを生じることはない。
【００１３】
このとき、上記一対の突部がハウジングの両側に設けられたものとして、両側の突部に挿入されるスペーサー部をハウジングを跨いで接続し、ハウジングに装着するようにした構成を採用することができる。
【００１４】
このような構成を採用することにより、スペーサー部を連結したので、両側の突部への装着を連携して行って、両側の突部の間隔を保って撓みを防止する。
【００１５】
また、このとき、上記一対の突部がハウジングの取り付け孔への嵌入端から他方の端部に向けて形成され、形成された突部の間を溝状とし、その溝に係合する突起を形成した係止部を設けて、外れ止めとした構成を採用することができる。
【００１６】
このような構成を採用することにより、固定具は、スペーサー部と係止部の突起の二点で溝に係合して外れないようにできる。また、前記突起は溝に係合させることで、スペーサー部を挿入する際のガイドとしても使用できる。
【００１７】
また、このとき、上記スペーサー部が、断面をコの字形とし、前記コの字の開口側をハウジング側にして、上記突部間あるいは突部の間に形成された溝に挿入し、前記突部または溝をコの字の対向する面で支持して押し広げるようにした構成を採用することができる。
【００１８】
このような構成を採用することにより、スペーサー部は、突部間あるいは突部間に形成された溝に挿入すると、挿入された突部または溝をコの字の対向する面で支持して押し広げて撓みを防ぐ。そのため、面が接する突部または溝全体の撓みを効果的に防止できる。
【００１９】
また、このとき、ハウジングに設けられた突起に係合するストッパー部を形成した構成を採用することができる。
【００２０】
このような構成を採用することにより、ストッパー部をハウジングに設けられた突起に係合させることで、前記突起を利用して固定具を固定できる。
【発明の効果】
【００２１】
この発明は、上記のように構成したことにより、コネクターのパネルからの抜け落ちを防止できる。
【発明を実施するための最良の形態】
【００２２】
以下、この発明を実施するための最良の形態を図面に基づいて説明する。図１に示すように、この形態の固定具２０は、スペーサー部２１と係止部２２で構成された金具で、図２のパネルマウント用のナイロンコネクター１０に装着する。
【００２３】
スペーサー部２１は、図１のように、左右に設けられており、各スペーサー部２１は、挿入部２３と連結部２４とからなっている。
すなわち、図１のものでは、挿入部２３は、垂直なプレートの先端を内側に折り曲げて、断面をコの字形としたもので、コの字の開口２５が内側になるように形成してある。そのため、コの字の対向する上下の面２３ａ、ｂが、それぞれ、後述するハウジング１１の溝（突部１２の間隔）３３の内側に接して支持するようにしてある。また、その際、挿入部２３の前後端２３ｃ、ｄを内側へ折り曲げて、端部の幅を縮小してある。こうすることで、前記突部１２の溝（突部の間）への導入や溝からの取り外しが容易にできるようにしてある。
また、連結部２４は、前記挿入部２３を係止部２２に接続するためのもので、ここでは、プレート状となっている。
【００２４】
一方、係止部２２は、この形態の場合、コの字の開口２６を伏せた形状をしており、その開口２６の端部に、それぞれスペーサー部２１を設けた形状となっている。
すなわち、図１のように、コの字の開口２６に対して前方に９０°クロスした方向にスペーサー部２１を形成した形状となっている。
また、係止部２２は、コの字の開口２６の寸法を、後述するコネクター１０のハウジング１１の幅に合わせて形成することにより、ハウジング１１を跨いで装着できるようにしてある。
さらに、係止部２２には、コの字形の折り曲げ部分に、それぞれ、突起２７が形成されている。前記突起２７は、例えば、スリットを上下に設け、形成された細い帯状の部分を内側に折り曲げたもので、後述のように、ハウジング１１の突部の溝３３に係合して係止部２２が外れるのを防止する。また、装着の際には、前記ハウジング１１の突部１２の溝３３に係合させることで、ガイドとしても使用できる。
加えて、係止部２２には、固定具２０の移動を止めるストッパー部２９が設けられている。前記ストッパー部２９は、この形態では、図１のように、係止部２２のスペーサー部２１を接続するコの字の水平部分に形成されている。
すなわち、前記水平部分の中央部分を打ち抜いて、凸形の内側にコの字形の係合部３０を設けたもので、後述のように、前記係合部３０をハウジング１１の突起２８に嵌めることで固定具２０の移動を止める。このとき、前記係合部３０の先は、図１のように、若干反らすことで、持ち上げ易くして、突起２８との係合の解除を容易にできるようにしてある。なお、ストッパー部２９は、ハウジング１１の突起２８を利用するので、装着するハウジング１１の形状によって形や形成箇所は異なる。
【００２５】
なお、図１の符合３１、３２で示す折曲部分は、固定具２０を指で掴むためのもので、装着時の作業性を向上させるためと、安全を図るためのものである。また、符合４０は、開孔で軽量化を図るためのものである。
【００２６】
この形態は、上記のように構成され、この固定具は、図２のようなパネルマウント用のナイロンコネクター１０に装着される。
【００２７】
前記コネクター１０は、図２のように、取り付け孔１３へ筐体の内側Ｂ（外側Ａとする）から嵌入するタイプのもので、この形態の場合、取り付け孔１３は、図２のように、両側に係合用の孔を設けた十字型となっている。そのため、ハウジング１１の両側面には、一対の突部１２が設けられている。この突部１２は、間隔を置いて並列に設けたもので、取り付け孔１３への嵌入端から他方の端部に向けて形成されている。その結果、間隔を置いて形成された一対の突部１２は溝３３を形成する。
一方、このように溝３３を形成する一対の突部１２の外形形状は、返し３４を備えた略楔形となっており、前記返し３４部分には、図３のように、段を設けて嵌入した取り付け孔１３の対向するエッジ１４と係合するようになっている。このため、前記返し３４は、抜け止めとして作用すると同時に、段によってハウジング１１を水平に支持するのである。
また、コネクター１０のハウジング１１の上部には、プラグ１５の爪を嵌めるためのロック用の係合部１６が設けられている。
この他、前記ハウジング１１には、突起２８が設けられており、この突起２８を利用して先述したように、ハウジング１１に装着した固定具２０の移動を止める。
【００２８】
このようなコネクター１０は、図２のように、取り付け孔１３に嵌入する。すると、図３のように、両側の突部１２が取り付け孔１３の上下のエッジ１４に係合し、圧迫されて撓む。
【００２９】
この状態で、コネクター１０の後方から固定具２０を嵌める。
すなわち、固定具２０のスペーサー部２１をハウジング１１の突部１２の溝３３に嵌入して前方へスライドさせる。
【００３０】
その際、スペーサー部２１は、挿入部２３の先端２３ａを内側へ折り曲げて幅を縮小してあるため、圧迫された溝３３への導入も容易にできる。また、圧迫された溝３３に導入された挿入部２３は、コの字の対向する上下の面２３ａ、ｂが、溝３３の上下の内面に接する。そのため、挿入部２３を挿入するにつれて、溝３３を上下に押し広げる。
その結果、挿入したスペーサー部２１が、図４のように、取り付け孔１３のエッジ１４の位置に達すると、図４の矢印のように、スペーサー部２１のコの字の上下の面２３ａ、ｂが溝３３を押し広げ、エッジ１４の圧迫による撓みを改善する（除く）。
このとき、固定具２０の折曲部３２は、コネクター１０のハウジング１１のロック用係合部１６に当たり、同時に、ストッパー部２９が、コネクター１０のハウジング１１の突起２８に嵌り、後方への移動を止める。ここで、固定具２０の係止部２２の突起２７は、図５のように、ハウジング１１の突部１２の溝３３に嵌り、固定具２０のスライドをガイドする。また、装着後は固定具２０が上下方向に外れないように保持する。
【００３１】
このように、固定具２０は、ハウジング１１にロック用の係合部１６があっても、また、ハウジング１１と取り付け孔１３との間に隙間４がなくても装着できる。したがって、コネクター１０や取り付け孔１３の形状を変更しなくても装着できるし、ガタを生じることもない。また、固定具２０は、係止部２２の突起２７とストッパー部２９により、上下及び前後の移動を止めて、強固に装着できる。その状態を図６に示す。
【００３２】
このようにして固定具２０が装着されたコネクター１０は、固定具２０によりエッジ１４の圧迫による撓みが除かれているので、図６のように、プラグ１５を差し込んでも、簡単にコネクター１０が外れてパネルＰの内側Ｂへ落ち込むことはない。
また、そのため、取り付け孔１３が大きめで係合が少なかったり、取り付けが不十分で撓み量に対する余裕度が十分でなかったり、突部１２の弾性が劣化して突部１２とエッジ１４との係合が少なくなってもパネルＰの内側Ｂへ落ち込むことはなく、落ち込みを防止できる。
【００３３】
ちなみに、装着した固定具２０を取り外す場合は、固定具２０のストッパー部２９の係合部３０を持ち上げ、突起２８との係合を解除したのち、後方へ引き抜けばよい。その際、スペーサー部２１の挿入部２３の後端２３ｄが溝３３からの脱出をガイドするので、取り外しも容易にできる。
【００３４】
なお、この発明の固定具２０は、撓みの防止や装着に、積極的に弾性を利用したものでない。そのため、金属でも樹脂でも作成可能である。
また、実施形態では、固定具２０をハウジング１１の上部（ロック用の係合部１６が在る）側から装着するようにしたが、これに限定されるものではない。底部から溝３３までの寸法が上部から溝３３までの寸法と同じであれば、底部側に装着しても（突起２８もある）作用効果は同じである。
【図面の簡単な説明】
【００３５】
【図１】実施形態の斜視図
【図２】実施形態の装着状態を示す分解斜視図
【図３】実施形態の作用説明図
【図４】実施形態の作用説明図
【図５】実施形態の断面図
【図６】実施形態の使用状態の斜視図
【図７】従来例の作用説明図
【符号の説明】
【００３６】
１０  コネクター
１１  ハウジング
１２  突部
１３  取り付け孔
１４  エッジ
１６  係合部
２０  固定具
２１  スペーサー部
２２  係止部
２３  挿入部
２４  連結部
２５  開口
２６  開口
２７  突起
２８  突起
２９  ストッパー部
３０  係合部
３１  折曲部
３２  折曲部
３３  溝
【図１】
2010153308.tif 000003
【図２】
2010153308.tif 000004
【図３】
2010153308.tif 000005
【図４】
2010153308.tif 000006
【図５】
2010153308.tif 000007
【図６】
2010153308.tif 000008
【図７】
2010153308.tif 000009